(57)【要約】【課題】複数人が共同して遊技可能な遊技機を提供すること。【解決手段】射出された遊技球が落下しつつ移動する遊技領域４Ａを有する遊技機１は、遊技領域４Ａ内に遊技球を射出させる第１操作手段と、遊技領域４Ａ内に設けられ、遊技球と係合する可動部材（回動レバー６及び入賞口４１７）と、遊技領域４Ａ内で可動部材６，４１７を移動させる第２操作手段とを備える。これによれば、１人の遊技者が第１操作手段を操作して、遊技領域４Ａに遊技球を射出させつつ、他の遊技者が第２操作手段を操作して、可動部材６，４１７を操作することができるので、１人の遊技者の遊技を、他の遊技者が支援することができる。従って、１台の遊技機１にて、複数の遊技者が共同して遊技することができる。【選択図】図２
2010057580.tif 000002
【特許請求の範囲】
【請求項１】
射出された遊技球が移動する遊技領域を有する遊技機であって、
前記遊技領域内に前記遊技球を射出させる第１操作手段と、
前記遊技領域内に設けられ、前記遊技球と係合する可動部材と、
前記遊技領域内で前記可動部材を移動させる第２操作手段とを備えることを特徴とする遊技機。
【請求項２】
請求項１に記載の遊技機において、
前記第２操作手段は、当該遊技機における前記第１操作手段に対する反対側に設けられていることを特徴とする遊技機。
【請求項３】
請求項１又は請求項２に記載の遊技機において、
前記遊技領域内に設けられ、前記遊技球が入賞する入賞口を備え、
当該遊技機は、前記入賞口に前記遊技球が入賞した際に、所定数の前記遊技球を払い出すパチンコ機であることを特徴とする遊技機。
【請求項４】
請求項３に記載の遊技機において、
前記可動部材は、前記入賞口であることを特徴とする遊技機。
【請求項５】
請求項１から請求項４のいずれかに記載の遊技機において、
前記可動部材は、前記第２操作手段による操作に応じて前記遊技球に当接して、当該遊技球の軌道を変更することを特徴とする遊技機。
【発明の詳細な説明】
【技術分野】
【０００１】
本発明は、遊技機に関し、特に、パチンコ機に関する。
【背景技術】
【０００２】
従来、パチンコ機、ピンボール機、スマートボール機及びアレンジボール機等の遊技機が知られている。これら遊技機では、遊技盤に形成された遊技領域内に射出された遊技球が、当該遊技盤に沿って落下しつつ移動する。そして、パチンコ機では、遊技領域内に設けられた入賞口に遊技球が入賞すると、所定数の遊技球の払い出しが行われ、また、ピンボール機では、遊技球が所定の的に当たると、得点が得られる。
【０００３】
近年、複数人が同時に着座できる座席と、当該座席に着座可能な人数に応じた複数の遊技機とが設置されたスペースを備えたパチンコホールが知られている。しかしながら、前述の遊技機は、遊技者１人につき１台で遊技するものであるため、複数人で共同して遊技することができず、各遊技者に孤独感を与えてしまうという問題がある。
【０００４】
これに対し、遊技領域内に遊技球を射出するハンドルが、左右にそれぞれ配置された遊技機（遊戯機）が知られている（例えば、特許文献１参照）。
この特許文献１に記載の遊技機では、各ハンドルの操作に応じて射出された遊技球は、遊技領域の左右に設けられたガイドに沿って、それぞれ独立して遊技領域内に射出される。そして、当該遊技機では、遊技領域内の左右にそれぞれ設けられたスタートチャッカーに遊技球が入賞すると、遊技機による抽選処理が行われ、大当たりとなると、遊技領域内の左右にそれぞれ設けられた大当たり入賞口（アタッカー）が開放される。この際、当該遊技機は、左右の大当たり入賞口に入賞した遊技球数をそれぞれ個別に集計し、当該遊技球数に応じた数の遊技球を、大当たり入賞口に応じて左右に設けられた受け皿に払い出す。これにより、１台の遊技機を２人で遊技することができ、払い出された遊技球数を競い合うなどして、遊技機の興趣を高めることができる。
【０００５】
【特許文献１】特開２００２−３６９９１５号公報
【発明の開示】
【発明が解決しようとする課題】
【０００６】
しかしながら、前述の特許文献１に記載の遊技機では、２台分の遊技機の構成を１台の遊技機に組み合わせたような構成であるので、遊技領域において各遊技者が担当する領域での遊技に没頭してしまう。このため、各遊技者がそれぞれ個別に遊技機を利用する場合と大きな変化がなく、各遊技者の孤独感を拭えないという問題がある。このような問題から、複数人が共同して遊技可能な遊技機が要望されてきた。
【０００７】
本発明の目的は、複数人が共同して遊技可能な遊技機を提供することである。
【課題を解決するための手段】
【０００８】
前記した目的を達成するために、本発明の遊技機は、射出された遊技球が移動する遊技領域を有する遊技機であって、前記遊技領域内に前記遊技球を射出させる第１操作手段と、前記遊技領域内に設けられ、前記遊技球と係合する可動部材と、前記遊技領域内で前記可動部材を移動させる第２操作手段とを備えることを特徴とする。
【０００９】
本発明によれば、１人の遊技者が第１操作手段を操作して、遊技領域に遊技球を射出させつつ、他の遊技者が第２操作手段を操作して、可動部材を操作することができる。これによれば、遊技領域内を移動する遊技球と、第２操作手段により移動される可動部材とを係合させて、１人の遊技者の遊技を、他の遊技者が支援することができる。従って、１台の遊技機で複数人が共同して遊技することができ、遊技機の興趣を高めることができる。
【００１０】
本発明では、前記第２操作手段は、当該遊技機における前記第１操作手段に対する反対側に設けられていることが好ましい。
本発明によれば、例えば、第１操作手段が配置された側に位置する遊技者が当該第１操作手段を操作し、第２操作手段が配置された側に位置する他の遊技者が当該第２操作手段を操作することとなる。従って、１台の遊技機での複数人による遊技を行いやすくすることができる。
【００１１】
本発明では、前記遊技領域内に設けられ、前記遊技球が入賞する入賞口を備え、当該遊技機は、前記入賞口に前記遊技球が入賞した際に、所定数の前記遊技球を払い出すパチンコ機であることが好ましい。
本発明によれば、前述の他の遊技者が、第２操作手段を操作して、可動部材に遊技球を係合させることで、遊技領域内に設けられた入賞口に遊技球を入賞させやすくすることができる。従って、各遊技者が共同して遊技することで、遊技球を入賞口に入賞させやすくすることができ、遊技機の興趣を一層高めることができる。
【００１２】
本発明では、前記可動部材は、前記入賞口であることが好ましい。
本発明によれば、第２操作手段の操作に応じて移動する可動部材が入賞口であるので、当該入賞口を移動させることで、入賞口付近に移動した遊技球を入賞させやすくすることができる。従って、遊技機での遊技における各遊技者の共同の度合いが高まるので、各遊技者の協力次第で入賞確率を高めることができ、これにより、遊技機の興趣をより一層高めることができる。
【００１３】
本発明では、前記可動部材は、前記第２操作手段による操作に応じて前記遊技球に当接して、当該遊技球の軌道を変更することが好ましい。
例えば、このような可動部材として、遊技領域内に回動自在に設けられ、遊技球を打ち返すレバー、遊技領域に沿って摺動して、遊技球に当接することで当該遊技球の軌道を変更する部材、及び、遊技球を保持して移動し、遊技領域における所定の部位で、保持した遊技球を離す部材を挙げることができる。
【００１４】
本発明によれば、可動部材により、入賞口付近に移動しそうにない遊技球の軌道を当該入賞口付近に変更させることができ、遊技球の入賞確率を高めることができる。従って、可動部材が入賞口である前述の場合と同様に、遊技機での遊技における各遊技者の共同の度合いが高まるので、各遊技者の協力次第で入賞確率を高めることができるので、遊技機の興趣をより一層高めることができる。
【発明を実施するための最良の形態】
【００１５】
以下、本発明の一実施形態を図面に基づいて説明する。
図１は、本実施形態に係る遊技機１を示す概要斜視図である。
本実施形態に係る遊技機１は、パチンコ機として構成され、ハンドル５４の操作に応じて射出された遊技球が、遊技盤４の盤面に沿って落下しつつ移動して、所定の入賞口に入賞した場合には、所定数の遊技球を払い出すものである。この遊技機１は、図１に示すように、枠体２と、当該枠体２に一端が回動自在に支持され、かつ、当該枠体２により背面側が覆われる遊技機本体３とを備えて構成されている。
【００１６】
〔遊技機本体の構成〕
遊技機本体３は、遊技盤４、当該遊技盤４の前面側（遊技者に対向する側）を覆う透明カバー５１、上皿５２、下皿５３、ハンドル５４及びレバー５５を備えている。
このうち、上皿５２及び下皿５３は、遊技機本体３の前面側における略中央及び下方にそれぞれ設けられ、これら上皿５２及び下皿５３には、払出口５２１，５３１を介して払出装置（図示省略）により遊技球が払い出される。
【００１７】
ハンドル５４は、遊技機本体３の前面における右側下方に回動自在に設けられている。このハンドル５４は、本発明の第１操作手段に相当し、当該ハンドル５４が回動されると、ハンドル５４の回動角に応じた強さで、射出装置（図示省略）が遊技球を射出する。
レバー５５は、遊技機本体３の前面におけるハンドル５４とは反対側、すなわち、左側下方に、上下に移動自在に設けられている。このレバー５５は、本発明の第２操作手段に相当し、当該レバー５５が上下に操作されると、後述する回動レバー６及び入賞口４１７が遊技領域４Ａに沿って上下動する。
【００１８】
〔遊技盤の構成〕
図２は、遊技盤４を示す正面図である。
遊技盤４は、遊技機本体３の前面側上方に設けられている。この遊技盤４は、ゲージ盤４１と、パネル４２と、画像表示装置４３とを備えている。
具体的に、正面視略矩形状のゲージ盤４１の前面側には、正面視略矩形の枠型形状を有し、かつ、略中央に略円形状の開口部４２１を有するパネル４２が取り付けられる。このパネル４２の開口部４２１により囲まれたゲージ盤４１の前面側領域に、遊技領域４Ａが形成されている。この遊技領域４Ａには、パネル４２に形成されたガイドレール４２２を介して、前述の射出装置（図示省略）により、遊技球が射出される。
【００１９】
このような遊技領域４Ａには、遊技球の軌道を変更する複数の釘（図示省略）が適所に固定されている。また、遊技領域４Ａの略中央には、略矩形の開口部４１１が形成され、当該遊技領域４Ａ内の下端にはアウト口４１９が形成されている。更に、当該遊技領域４Ａ内には、センター飾り４１２、透明カバー４１３、ランプ表示装置４１４、風車４１５及び複数の入賞口４１６，４１７，４１８が取り付けられている。
【００２０】
具体的に、センター飾り４１２は、開口部４１１を囲むように取り付けられ、当該開口部４１１には、合成樹脂製の透明カバー４１３が嵌め込まれている。この透明カバー４１３の背面側には、制御装置（図示省略）によって制御され、例えば、抽選画像及び大当たり画像等の各画像を表示する画像表示装置４３が配置されている。
一対のランプ表示装置４１４は、点灯及び点滅するＬＥＤ等を備え、当該ランプ表示装置４１４は、開口部４１１の上方に固定されている。また、一対の風車４１５は、開口部４１１の左右に固定され、釘とともに、遊技球の軌道を変更する。
開口部４１１の下方には、一対の入賞口（チャッカー）４１６が配置されている。また、これら一対の入賞口４１６に挟まれるように、入賞口（スタートチャッカー）４１７が遊技領域４Ａに沿って上下に摺動自在に配置されている。この入賞口４１７の下方には、入賞口（アタッカー）４１８が固定されている。
【００２１】
これら入賞口４１６〜４１８の内部には、遊技球を検出する検出手段としての入賞センサ（図示省略）が設けられており、当該各入賞センサが遊技球を検出すると、制御装置が払出装置に所定数の遊技球を払い出させる。また、入賞口４１７に設けられた入賞センサが遊技球を検出すると、制御装置による抽選処理が行われ、当該抽選処理にて大当たりとなると、入賞口４１８が所定時間、開放される。このような入賞口４１８の下方には、各入賞口４１６〜４１８に入賞しなかった遊技球を回収する前述のアウト口４１９が形成されている。
【００２２】
遊技領域４Ａ内の左右には、当該遊技領域４Ａ内を落下しつつ移動する遊技球の軌道を変更する軌道変更部材としての回動レバー６（遊技領域４Ａの左側に位置する回動レバーを６Ｌ、右側に位置する回動レバーを６Ｒとする）が設けられている。これら回動レバー６Ｌ，６Ｒは、それぞれ他方に対して離間する側に回動軸を有するように配置されている。すなわち、当該各回動レバー６Ｌ，６Ｒにおける回動軸側とは反対側が各入賞口４１６〜４１８（特に入賞口４１７）側を向くように設けられている。そして、前述のレバー５５を上下動させると、当該各回動レバー６Ｌ，６Ｒは、図２における矢印で示すように、回動軸を中心として、当該回動軸側とは反対側の端部が上下動するように回動する。また、当該レバー５５の上下動に応じて、入賞口４１７が所定範囲内で上下動する。すなわち、入賞口４１７及び回動レバー６（６Ｌ，６Ｒ）は、本発明の可動部材に相当する。
【００２３】
このような遊技機１にて遊技をする際には、ハンドル５４側に位置する１人の遊技者が当該ハンドル５４を操作して、遊技領域４Ａ内に遊技球を射出する。そして、レバー５５側に位置する他の遊技者が当該レバー５５を操作して、回動レバー６（６Ｌ，６Ｒ）を上下させることで、当該回動レバー６により遊技球が打ち返され、当該遊技球が入賞口４１７に向かうように、遊技球の軌道を変更することができる。また、この際、レバー５５の操作に応じて、入賞口４１７が上下することにより、当該入賞口４１７への遊技球の入賞確率が高まる。これにより、抽選処理が実行される回数が多くなり、それぞれの遊技者に大当たりの期待を抱かせることができる。
【００２４】
以上説明した本実施形態に係る遊技機１によれば、以下の効果を奏することができる。
１人の遊技者がハンドル５４を操作して、遊技領域４Ａに遊技球を射出させつつ、他の遊技者がレバー５５を操作することで、回動レバー６（６Ｌ，６Ｒ）が回動するとともに、入賞口４１７が上下動する。これによれば、遊技領域４Ａ内を移動する遊技球が、入賞口４１６〜４１８に入賞しそうもない場合に、当該遊技球を回動レバー６により打ち返すことで、当該遊技球を各入賞口４１６〜４１８に入賞させやすくすることができる。また、入賞口４１７を上下動させることで、当該入賞口４１７付近に移動した遊技球を、入賞口４１７に入賞させやすくすることができる。従って、各遊技者が共同して遊技することができ、これにより、各遊技者の協力次第で遊技球の入賞確率が高まるので、遊技機１の興趣を高めることができる。更に、ハンドル５４及びレバー５５は、それぞれ遊技機１における反対側に設けられているので、当該遊技機１での複数人による遊技を行いやすくすることができる。
【００２５】
〔実施形態の変形〕
本発明は前述の実施形態に限定されるものではなく、本発明の目的を達成できる範囲での変形、改良等は本発明に含まれるものである。
前記実施形態では、レバー５５を操作することで、回動レバー６（６Ｌ，６Ｒ）が回動するとともに、入賞口４１７が上下動するとしたが、本発明はこれに限らない。例えば、回動レバー６及び入賞口４１７を動作させるレバー５５等の操作手段を、可動部材に応じて、それぞれ個別に設けてもよい。また、レバー５５の操作によって移動する可動部材の移動方向は、上下に限らず左右でもよく、すなわち、当該移動方向は問わない。
【００２６】
前記実施形態では、可動部材として、回動レバー６（６Ｌ，６Ｒ）及び入賞口４１７を挙げたが、本発明はこれに限らない。例えば、可動部材として、遊技領域４Ａ内を摺動して、遊技球の軌道を変更する構成のものや、遊技領域における所定の位置にて遊技球を保持したまま移動して、保持した遊技球を他の位置にて離す構成のものを採用してもよい。更に、入賞口４１７に代えて、入賞口４１６，４１８を可動部材として構成してもよい。
【００２７】
前記実施形態では、回動レバー６は、遊技領域４Ａ内に入賞口４１７を挟むように配置されるとしたが、本発明はこれに限らない。すなわち、可動部材としての回動レバーの数及び遊技領域内での位置は、適宜変更可能である。
また、前記実施形態では、遊技機としてパチンコ機を挙げたが、本発明はこれに限らず、ピンボール機、スマートボール機及びアレンジボール機等にも採用することができる。
【産業上の利用可能性】
【００２８】
本発明は、遊技機に利用でき、特にパチンコ機に好適に利用することができる。
【図面の簡単な説明】
【００２９】
【図１】本発明の一実施形態に係る遊技機を示す概要斜視図。
【図２】前記実施形態における遊技盤を示す正面図。
【符号の説明】
【００３０】
１…遊技機、６（６Ｌ，６Ｒ）…回動レバー（可動部材）、４Ａ…遊技領域、５４…ハンドル（第１操作手段）、５５…レバー（第２操作手段）、４１７…入賞口（可動部材）。
【図１】
2010057580.tif 000003
【図２】
2010057580.tif 000004